(57)【特許請求の範囲】
【請求項１】
ベルトの長さ調節機構を備えた止具において、枠体７に基杆８とベルト引掛用の引掛杆９とを並設し、その間にベルト挿通孔１３を設け、引掛杆９は挿通孔１３に面した部分に尖鋭状の突出部１７を形成し、基杆８の突出部１７と対面する部分に挿通孔１３へ向けて平面形状が円弧状に突出する膨出部１６を設け、該膨出部１６の前後面に平坦面２０を形成してなることを特徴とするベルト用止具の調節部。
【請求項２】
基杆８の両側に膨出部１６とほぼ等しい突出量で突出する斜面部１８を連設してなる請求項１記載のベルト用止具の調節部。
【発明の詳細な説明】
【０００１】
【発明の属する技術分野】
この発明は、ベルトなどの止具であって、止具にベルトの長さ調節機構を備えた雌雄形の差し込みタイプのバックル、またベルトの長さ調節機構を備えたベルト取付部から形成されたなす環などにおけるベルト調節部の改良に関するものである。
【０００２】
【従来の技術】
従来、シートベルトにおけるタングプレートにおいて、タングプレートにウェビングを挿通したとき、ウェビングの中間部分を確実にタングプレートへ係止できるようにするため、図１０に示すように、タングプレートにおけるウェビング取付部の一端にバックルに対して係合できる係合部を突設し、かつウェビング挿通用の長孔を２個所に設け、係合部の反対側の長孔において、ショルダウェビング案内部を屈設し、ショルダウェビング案内部と反対側のラップウェビング案内部に、ショルダウェビング案内部の屈曲方向とは反対面がショルダウェビング案内面と同一面となる形の断面略三角形状を呈する突片を長孔に対して円弧状に突出するように形成し、タングプレートに装着されたウェビングを突片により大きく曲げて、タングプレートを確実にウェビングの中間部へ係止できるように形成したタングプレートが実公平２−２５２８７号公報に開示されている。
【０００３】
また、図１１に示すように、一端にバックルに係合できる係合部を突設したタングプレートにウェビングを挿通できる挿通孔を設け、この挿通孔の両側部分を中央部分に対して段差をもって幅広く形成し、かつ中央部分を断面山形状に突出させて、断面円弧状のウェビング巻掛部に対向させたタングプレートが実開平２−２８６１０号公報に開示されている。
【０００４】
【発明が解決しようとする課題】
前項で述べた図１０に示すタングプレートは、長孔内へ突出する突片は、裏面がタングプレート面と同一面であり、表面が傾斜面に形成されているため、ウェビングを長孔へ挿入するには、表面から挿入するのが容易であり、裏面からの挿入は大変面倒であり方向性がある。さらにウェビング巻掛杆は断面長円形であるため、挿通されたウェビングを係止捕捉する作用が働かない。
【０００５】
また、図１１に示すタングプレートは、ウェビング挿通孔が中央部分において並行状の縁部であり、両側が段差をもって幅広く形成しているため、タングプレートにウェビングを挿入する際、ガイド部分がなく円滑に挿入操作ができない。さらにウェビング巻掛杆は断面長円形であるため、挿通されたウェビングを係止捕捉する作用が働かない。
【０００６】
この発明は、上述の問題点を考慮して発明されたものであり、この発明のうち請求項１記載の発明は、ベルト調節機構を備えた止具に対し、ベルトを止具の表裏のいずれからも容易に挿入することができる取扱い易い止具、かつまたベルトの捻転を未然に防ぎ長期にわたって正常な状態で使用ができるとともに、ベルトの係止捕捉を確実に行い、ベルトの係止効果の向上を図ったベルト用止具の調節部を提供することが主たる目的である。
【０００７】
請求項２記載の発明は、請求項１記載の発明の目的に加え、ベルトの長さ調節ができる機構を備えた止具に対するベルトの挿入操作が円滑に行える各種の形態を備えたベルト用止具の調節部を提供することが目的である。
【０００８】
【課題を解決するための手段】
前項の目的を達成するため、この発明のうち請求項１記載の発明は、ベルトの長さ調節をすることができる機構を備えた止具において、止具の枠体７に基杆８とベルトを引掛けるための引掛杆９とを並行状に設け、基杆８と引掛杆９との間にベルトを挿通できるベルト挿通孔１３を設け、引掛杆９は挿通孔１３に面した断面中央部分に尖鋭状の突出部１７を形成し、この突出部１７と対面する基杆８は、挿通孔１３へ向けて平面形状が円弧状に突出する膨出部１６を設け、この膨出部１６の前後面に平坦面２０を形成したベルト止具の調節部を主な構成とするものである。
【０００９】
請求項２記載の発明は、請求項１記載の発明の構成に加え、枠体７の基杆８の両側には膨出部１６とほぼ等しい突出量で突出する斜面部１８を傾斜状に連設したベルト止具の調節部である。
【００１０】
【発明の実施の形態】
以下、この発明のベルト用止具の調節部の実施の形態について、図面を参照しながら具体的に説明する。
【００１１】
この発明における第１実施例のベルト用止具の調節部は、図１に示すように雌部材４と雄部材５とから形成され差し込みタイプの雌雄形バックル１において、ベルトの長さ調節する機構を雄部材５が備えている。雄部材５は図２〜４に示すように、ベルトを取り付けかつ長さ調節ができるように形成するため、方形状の枠体７に基杆８、ベルト引掛用の引掛杆９、またベルトを係止できる係止杆１０を設置する。基杆８、引掛杆９、係止杆１０は両側に並列状に配した側枠杆１１にそれぞれ並行状に架設して枠体７を形成する。
【００１２】
図４に示すように基杆８と引掛杆９の間にベルトが挿通できる挿通孔１３を設け、また引掛杆９と係止杆１０との間にベルトを挿通し係止するための係止孔１４を設ける。引掛杆９の挿通孔１３に面した一側面にベルトを捕捉できる尖鋭状の突出部１７を突設し、また係止杆１０の係止孔１４に面した一側にベルトを係止捕捉できる鋭角状の隅角からなる係止部１５を設ける。
【００１３】
枠体７に設けた基杆８は、ベルトを挿通する挿通孔１３に面した一側面において引掛杆９の突出部１７に向かって図３に示すように平面形状が円弧状に突出する膨出部１６を設けて、挿通孔１３の間隔を膨出部１６の先端と引掛杆９との間で狭く、膨出部１６の両側と引掛杆９との間で広くする。挿通孔１３にベルトを挿入するときは、ベルトの隅端部を膨出部１６の側方、すなわち挿通孔１３の間隔が広い部位から挿入し、ベルトの隅端部を膨出部１６先端の円弧状縁に沿って膨出部１６と引掛杆１９の間、すなわち挿通孔１３の間隔が狭い部位へ案内する。挿通孔１３に挿通されたベルトは、膨出部１６と引掛杆９の間の狭い間隔に配置されるので、挿通孔１３内でベルトが捻転することがなく、また引掛杆１９の突出部１７にて係止するベルトが突出部１７より離間してしまうことを防いで係止状態を維持する。
【００１４】
そして膨出部１６の前後面を平坦面２０に形成して、膨出部１６の前後における挿通孔１３の基杆８と引掛杆９の間の間隔を広く確保し、挿通孔１３へのベルト端部の挿入をより容易に行えるようにする。さらに基杆８に設けた膨出部１６から両側枠杆１１に向かって膨出部１６とほぼ等しい突出量で突出する斜面部１８を連設して、ベルトの端部を挿通孔１３へ挿通させる時に、ベルトの側縁部と接触し、ベルトが挿通孔１３の中央側へ積極的に移行するようにガイドできるようにする。また基杆８の外面すなわち引掛杆９に向かって反対面に雌部材４のハウジング２７に差し込み係合させるための可撓性を有する差込脚部２１を突設し、この差込脚部２１の先端外側にハウジング２７内に設けた係合部２９と係合できるフック状の係合突部２２が設けてある。
【００１５】
図５に示す雌雄形バックル１における雄部材５の変形例は、枠体７に設けた基杆８の膨出部１６と引掛杆９の突出部１７との配置位置が、膨出部１６の厚み方向の中心線に沿って引掛杆９の突出部１７が対面する形で横設し、より効果的にベルトの捕捉ができるように形成したものである。
【００１６】
図６に示す雌雄形バックル１における雄部材５の変形例は、枠体７に設けた基杆８に形成した膨出部１６と斜面部１８とを、全体がなだらかな円弧面状で連接した形に形成し、ベルトの挿入操作において円滑にガイドでき、しかも柔らか味のある体裁のよいデザイン的にも優れた雌雄形バックル１の雄部材５に仕上げることができる。
【００１７】
なお、雌雄形バックル１の雌部材４は、図１に示すように扁平状のハウジング２７の一端に雄部材５の差込脚部２１を差し込むことができる開口部３０を設け、この開口部３０から内方へ向かって差込脚部２１をガイドするガイド溝３１を設ける。ガイド溝３１の外側で差込脚部２１の係合突部２２に対応できる位置に板状の係合部２９を内設し、またハウジング２７の両側面には開口部３０の基端で連結し、先端が弾性的に揺動ができる押圧片２８を設け、この押圧片２８の先端はフック状に屈曲して係合部２９に係合している差込脚部２１の係合突部２２を押圧して係合を解除できる形に形成されている。なお、突出部１７を有する引掛杆９と突出部１７に対面する膨出部１６およびベルト係止部１５を有する係止杆１０とを雌部材４に設けてもよい。
【００１８】
次に図７、８に示す第２実施例のベルト用止具の調節部は、ベルトの長さ調節機構を備えたベルト取付部を有するなす環２であり、このなす環２は方形状の枠体７の一端に基杆８を配するが、基杆８は枠体７における両側枠杆１１に回動自在に軸支する。この基杆８と一定間隔をおいてベルト引掛用の引掛杆９を両側枠杆１１に架設してその間にベルト挿通用の挿通孔１３を設け、また枠体７の他端にベルトを係止できる係止杆１０を設けて引掛杆９との間に係止孔１４を形成する。引掛杆９における基杆８に対向する面にベルトを捕捉できる尖鋭状の突出部１７を突設し、また係止杆１０の係止孔１４に面した一側にベルトを係止捕捉できる鋭角状の隅角からなる係止部１５を設ける。
【００１９】
枠体７に回動自在に軸支した基杆８は、ベルトを挿通するための挿通孔１３に面した一側面において、引掛杆９の突出部１７に向かって平面形状が円弧状に突出する膨出部１６を設け、挿通孔１３の間隔を狭くして、引掛杆９に捲回するベルトが挿通孔１３内で捻転できないように形成する。そして基杆８の他面すなわち膨出部１６を設けた面とは反対面の中央にフック状を呈するフック体２３を突出状に設け、このフック体２３の先端と弾性的に係合できる舌片２４を併設してフック体２３をリングなどに掛止できるように形成する。
【００２０】
図９に示すなす環２の変形例は、枠体７に回動自在に軸支した基杆８に形成する膨出部１６の両外側に、膨出部１６とほぼ等しい突出量で挿通孔１３内へ漸次突出する斜面部１８を一体に設けて、ベルトの挿入時における挿入ガイドが容易に行えるように形成したものである。
【００２１】
【発明の効果】
この発明のベルト用止具の調節部は、以上説明したとおりの構成であり、この構成によって下記の効果を奏する。
【００２２】
この発明のうち請求項１記載の発明は、ベルトの長さ調節機構を備えた止具において、枠体に基杆と引掛杆とを並設し、その間にベルト挿通孔を設け、引掛杆は挿通孔に面した部分に尖鋭状の突出部を形成し、基杆の突出部と対面する部分に挿通孔へ向けて平面形状が円弧状に突出する膨出部を設け、該膨出部の前後面に平坦面を形成したことによって、ベルトの挿通操作がきわめて円滑に行え、したがってベルトの長さ調節が簡易にできる。さらに突出部と膨出部の設置によりベルトを的確に捕捉でき、しかもベルトの捻転を防ぎ長期にわたって正常な状態で使用でき、かつベルト装着動作の際の挿入操作が止具の表裏面いずれからも円滑に行える効果がある。
【００２３】
請求項２記載の発明は、請求項１記載の発明の効果に加え、基杆の両側に膨出部とほぼ等しい突出量で突出する斜面部を連設したことによって、ベルトの挿入および挿通操作がより円滑に行える効果があるなど、この発明が奏する効果はきわめて顕著である。
【図面の簡単な説明】
【図１】  ベルト用止具の調節部の第１実施例の雌雄形バックルの一部破断した正面図である。
【図２】  同上雌雄形バックルの雄部材の斜視図である。
【図３】  同上雌雄形バックルの雄部材の正面図である。
【図４】  同上雌雄形バックルの雄部材の図３におけるＡ−Ａ断面図である。
【図５】  同上雌雄形バックルの雄部材の変形例を示す図３におけるＡ−Ａ断面に相当する断面図である。
【図６】  同上雌雄形バックルの雄部材の他の変形例を示す斜視図である。
【図７】  ベルト用止具の調節部の第２実施例のなす環の正面図である。
【図８】  同上なす環の図７におけるＢ- Ｂ断面図である。
【図９】  同上なす環の変形例を示す正面図である。
【図１０】  公知のタングプレートの斜視図である。
【図１１】  他の公知のタングプレートの正面図である。
【符号の説明】
１            雌雄形バックル
２            なす環
４            雌部材
５            雄部材
７            枠体
８            基杆
９            引掛杆
１０          係止杆
１３          挿通孔
１５          係止部
１６          膨出部
１７          突出部
１８          斜面部
２０          平坦面
２１          差込脚部
２３          フック体
２４          舌片
【図１】
0003844994.tif 000002
【図２】
0003844994.tif 000003
【図３】
0003844994.tif 000004
【図４】
0003844994.tif 000005
【図５】
0003844994.tif 000006
【図６】
0003844994.tif 000007
【図７】
0003844994.tif 000008
【図８】
0003844994.tif 000009
【図９】
0003844994.tif 000010
【図１０】
0003844994.tif 000011
【図１１】
0003844994.tif 000012